(57)【要約】      （修正有）【課題】クリップレスペダルに交換可能なサイクリングシューズアダプターを提供する。【解決手段】アダプター１は係合部及び変換部１２を備え、係合部は変換部の一側に凸設していると共に変換部と一体成形するように設け、且つマウンテンバイクシューズ１０の靴底に装設している。また、変換部の他側にはスロット１３を凹設し、スロットの底部には少なくとも２つの螺合孔１３１を穿設し、前記少なくとも２つの螺合孔は係合部を貫通し、少なくとも２つの螺合孔に貫入していると共にマウンテンバイクシューズにロックしている少なくとも２つのロック部材２をさらに設置している。なお、変換部は係合部を凸設している一側の反対側にペダルロック部材３０を装設している。アダプターをマウンテンバイクシューズの靴底に装設していることにより、マウンテンバイクシューズがペダルロック部材を装設可能になり、サイクリングシューズに変換して使用できる。【選択図】図５
0003232867.tif 000002
【実用新案登録請求の範囲】
【請求項１】
主にマウンテンバイクシューズの底面に装設しているサイクリングシューズアダプターであって、前記アダプターは係合部及び変換部を備え、前記係合部は前記変換部の一側に凸設していると共に前記変換部と一体成形するように設け、且つ前記マウンテンバイクシューズの靴底に装設し、
前記変換部の他側にはスロットを凹設し、且つ前記スロットの底部には少なくとも２つの螺合孔を穿設し、前記少なくとも２つの螺合孔は前記係合部を貫通し、前記少なくとも２つの螺合孔に貫入していると共に前記マウンテンバイクシューズにロックしている少なくとも２つのロック部材をさらに設け、
前記変換部は前記係合部を凸設している一側の反対側にペダルロック部材を装設していることを特徴とするサイクリングシューズアダプター。
【請求項２】
前記変換部は前記ペダルロック部材と組み合わせる円弧面、及び前記係合部を設けている底面をさらに備え、前記円弧面には前記ペダルロック部材の複数の螺合部材と接合している少なくとも３つの位置決め穴を設けていることを特徴とする請求項１に記載のサイクリングシューズアダプター。
【請求項３】
前記底面には複数の浅い溝をさらに凹設し、各浅い溝の間には強化リブを形成し、前記係合部の周囲は補強リングリブが包囲し、前記補強リングリブは各強化リブに連結していることを特徴とする請求項２に記載のサイクリングシューズアダプター。
【請求項４】
前記係合部の端面には複数のバンプをさらに凸設し、各バンプは前記係合部を前記マウンテンバイクシューズの靴底に組み立てる際にアッパーに貼着し、各バンプは前記マウンテンバイクシューズの靴底との摩擦抵抗力を発生させることを特徴とする請求項１に記載のサイクリングシューズアダプター。
【請求項５】
前記スロット内にはスライダーをさらに設置し、前記スライダーには前記少なくとも２つの螺合孔に対応している複数の通過孔を設け、前記少なくとも２つのロック部材は各通過孔及び各螺合孔を貫通した後に前記マウンテンバイクシューズの靴底にロックし、且つ各ロック部材は一端が前記スライダー及び各螺合孔を貫通した後、各ロック部材の他端が前記スロットの外に突出しないことを特徴とする請求項１に記載のサイクリングシューズアダプター。
【考案の詳細な説明】
【技術分野】
【０００１】
本考案は、サイクリングシューズアダプターに関し、更に詳しくは、マウンテンバイクシューズに適用し、主にマウンテンバイクシューズのクリップレスペダルをロードバイクシューズのクリップレスペダルに変換し、ユーザーがロードセクションを変更する際に随時現場の状況に対応可能にする実用性が極めて高い考案に関する。
【背景技術】
【０００２】
自転車でレースを行う場合、良い成績を収めるために全ての参加者が全力疾走するため、ユーザー自身の条件以外にも、良い成績を収めるには外的要素（装備）を使用するための資金が必要であった。ここでは、自転車専用シューズについて述べると、自転車はロードバイク及びマウンテンバイクの２種類に分けられるため、専用シューズも同様に２種類に分けられる。２種類のシューズに設置されているクリップレスペダルシステムはロードバイクまたはマウンテンバイクに対応するように設置されているため、両者の自転車のペダルのクリップレスペダルシステムには差異がある。このため、２種類のシューズも適合しないクリップレスペダルシステムに相互利用することはできず、自転車を利用する一般的なユーザーは２種類のシューズを準備し、ロードバイクまたはマウンテンバイクに合わせて使用せねばならなかった。
【考案の概要】
【考案が解決しようとする課題】
【０００３】
しかしながら、これでは大部分のサイクリング愛好家にとって決して負担が軽いとは言えなかった。自転車専用シューズの価格が高い上に１度に２種類シューズを買わねばならず、随時携帯して異なる車種に合わせて使用せねばならないため、費用が掛かる上に不便であった。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、サイクリングシューズアダプターを提供することを目的とする。
【課題を解決するための手段】
【０００６】
上記課題を解決するために、本考案のある態様のサイクリングシューズアダプターは、主にマウンテンバイクシューズの底面に装設し、前記アダプターは係合部及び変換部を備えている。前記係合部は前記変換部の一側に凸設していると共に前記変換部と一体成形するように設け、且つ前記マウンテンバイクシューズの靴底に装設している。前記変換部の他側にはスロットを凹設し、且つ前記スロットの底部には少なくとも２つの螺合孔を穿設し、前記少なくとも２つの螺合孔は前記係合部を貫通し、前記少なくとも２つの螺合孔に貫入していると共に前記マウンテンバイクシューズにロックしている少なくとも２つのロック部材をさらに設けている。前記変換部は前記係合部を凸設している一側の反対側にペダルロック部材を装設している。
【０００７】
本考案の他の特徴については、本明細書及び添付図面の記載により明らかにする。
【図面の簡単な説明】
【０００８】
【図１】本考案の一実施形態に係るサイクリングシューズアダプターを示す外観概略図である。
【図２】本考案の一実施形態に係るサイクリングシューズアダプターを他の角度から見た外観概略図である。
【図３】本考案とマウンテンバイクシューズ及びペダルロック部材の組立を示す外観概略図である。
【図４】図３の分解概略図である。
【図５】図３のペダルロック部材を他の角度から見た分解概略図である。
【図６】図３のＶＩ−ＶＩ線に沿う断面概略図である。
【考案を実施するための形態】
【０００９】
以下に図面を参照して、本考案を実施するための形態について、詳細に説明する。なお、本考案は、以下に説明する実施形態に限定されるものではない。
【００１０】
図１乃至図５を参照すれば、本考案に係るサイクリングシューズアダプターは主にマウンテンバイクシューズ１０の底面に装設し、前記マウンテンバイクシューズ１０のクリップレスペダルシステムをロードバイクシューズのクリップレスペダルシステムに変換する。前記アダプター１は五角形に類似した係合部１１及び盾状を呈している変換部１２を備えている。前記係合部１１は前記変換部１２の一側に凸設していると共に前記変換部１２と一体成形するように設け、且つ前記マウンテンバイクシューズ１０の靴底に装設している。前記マウンテンバイクシューズ１０の靴底には本考案を装設するための結合領域を設けている。また、前記変換部１２の他側には細長い楕円形を呈しているスロット１３を凹設し、且つ前記スロット１３の底部には少なくとも２つの螺合孔１３１を穿設している。前記少なくとも２つの螺合孔１３１は前記係合部１１を貫通し、前記少なくとも２つの螺合孔１３１に貫入していると共に前記マウンテンバイクシューズ１０にロックしている少なくとも２つのロック部材２をさらに設置している。なお、前記変換部１２は前記係合部１１を凸設している一側の反対側にペダルロック部材３０を装設している。前記アダプター１をマウンテンバイクシューズ１０の靴底に装設していることにより、前記マウンテンバイクシューズ１０に前記ペダルロック部材３０を装設可能にし、ロードバイクシューズのクリップレスペダルシステムに変換する。
【００１１】
また、本考案の他の特徴については、従来のペダルロック部材３０はロードバイクシューズに装設する場合、ロードバイクシューズの靴底面が平面であるため、且つ人間工学的に足に適合させるためにロードバイクシューズの靴底面は平面である以外にやや湾曲しているため、ペダルロック部材３０も靴底に対応する一側をやや湾曲させている（図１と図２参照）。本考案は前記変換部１２の設計上前記ペダルロック部材３０に組み合わせている円弧面１２１、及び前記係合部１１を設けている底面１２２をさらに備えている。前記円弧面１２１には前記ペダルロック部材３０の複数の螺合部材３０１に接合している少なくとも３つの位置決め穴１２３を設けている。これにより、前記ペダルロック部材３０が前記円弧面１２１に確実に貼り合わせられている。また、複数の螺合部材３０１を各位置決め穴１２３に貫設した後、前記ペダルロック部材３０を円弧面１２１に堅固に装設していることにより、ユーザーが変換後のマウンテンバイクシューズ１０を履いてもロードバイクのペダルを堅固に踏んで漕ぐことができる。
【００１２】
前記マウンテンバイクシューズ１０は走行時のグリップ力の問題に対応するため、基本的に靴底面はロードバイクシューズのように平面ではない。本考案を前記マウンテンバイクシューズ１０の靴底に装設するために、靴底の造形に適合しつつ装設に影響しないようにするため、前記底面１２２に複数の浅い溝１２４をさらに凹設している。各浅い溝１２４の底面はさらに複数の傾斜面は相互に継ぎ合せることで構成し、底面が低く溝口箇所が高い形態を形成している。各浅い溝１２４を設けることで前記マウンテンバイクシューズ１０の靴底面の造形に適合している（図４と図５参照）。前記マウンテンバイクシューズ１０の靴底面には複数の滑り止め部１０１を凸設し、係合部１１の厚さを利用して設けることで、本考案が各滑り止め部１０１の影響を受けずに確実に装設可能となるほか、シューズの各滑り止め部１０１はその厚さ、高さ、形状の設計が多様であっても、各滑り止め部１０１を各浅い溝１２４内に挿入し、前記底面１２２が各滑り止め部１０１を回避して装設に影響を受けないようにし（図示省略）、前記係合部１１を前記マウンテンバイクシューズ１０に確実に装設可能にしている。また、前記変換部１２はマウンテンバイクシューズ１０の靴底面に近接または貼り付けている。なお、各浅い溝１２４の間には強化リブ１２５を形成し、前記係合部１１の周囲は補強リングリブ１２６が包囲し、前記補強リングリブ１２６は各強化リブ１２５に連結している。前記補強リングリブ１２６及び各強化リブ１２５の設置により前記変換部１２の荷重能力を強化し、ユーザーが力いっぱい踏み込んだ後でも変形しないようにしている（図２参照）。
【００１３】
より高い堅牢性を追及するため、前記係合部１１の端面には複数のバンプ１４をさらに凸設している（図２参照）。各バンプ１４は前記係合部１１を前記マウンテンバイクシューズ１０の靴底に組み立てる際にアッパーに貼着し、各バンプ１４は前記マウンテンバイクシューズ１０の靴底との摩擦抵抗力を発生させ、本考案をマウンテンバイクシューズ１０に装設する際に勝手に揺動しにくくし、ユーザーが安定的に持続的に力を付勢して踏み込めるように維持している。最後に、前述の説明のように、本考案をマウンテンバイクシューズ１０に装設するには複数のロック部材２を利用してロックすることで設置するが、各ロック部材２と本考案との間のロック過程で互いに摩擦し、揺動し衝突する等の問題が生じてしまい、各ロック部材２により本考案をマウンテンバイクシューズ１０の靴底に牢固にロックすることができなかった。よって、前記スロット１３にスライダー３をさらに内設し、前記スライダー３には前記少なくとも２つの螺合孔１３１に対応している複数の通過孔３１を設けている。前記少なくとも２つのロック部材２は各通過孔３１及び各螺合孔１３１を貫通した後に前記マウンテンバイクシューズ１０の靴底にロックし、且つ各ロック部材２は一端が前記スライダー３及び各螺合孔１３１を貫通した後、各ロック部材２の他端が前記スロット１３の外に突出しなくなる。このような設置により、各ロック部材２をペダルロック部材３０に装設した後に影響を受けず、各ロック部材２がペダルロック部材３０に遮蔽されてスロット１３内に隠されるようになる。前記スライダー３の設置により各ロック部材２の先端をきつくロックする作業でも変換部１２に直接衝突せず、各ロック部材２と変換部１２との間で摩損が生じない。また、本考案は変換部１２及び係合部１１の設置では一体成形を主とし、且つ材質はアルミニウム合金で製造し、主にユーザーが履いた後でも重量を増加させない。  
【００１４】
本考案は主に、ユーザーが２足以上の自転車用シューズを購入せずに１足のマウンテンバイクシューズ１０を購入するのみでよく、本考案をマウンテンバイクシューズ１０の靴底に装設して使用することで、ペダルロック部材３０を本考案の変換部に装設可能になり、本来のマウンテンバイクシューズ１０をロードバイクシューズに変換する。これにより、ユーザーが１足のマウンテンバイクシューズ１０を２種類の自転車（マウンテンバイク、ロードバイク）に適用する目的を達成させ、シューズの購入を節約可能にする。また、本考案をマウンテンバイクシューズ１０の靴底に装設する方式は難しくなく、各ロック部材２により本考案をマウンテンバイクシューズ１０の靴底にロックし、前記ペダルロック部材３０の各螺合部材３０１を各位置決め穴１２３に対応させてロックするのみでペダルロック部材３０を変換部１２に高速に装設可能であり、ユーザーにとって便利で容易なものとなっている。
【００１５】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００１６】
１０  マウンテンバイクシューズ
１０１  滑り止め部
３０  ペダルロック部材
３０１  螺合部材
１  アダプター
１１  係合部
１２  変換部
１２１  円弧面
１２２  底面
１２３  位置決め穴
１２４  浅い溝
１２５  強化リブ
１２６  補強リングリブ
１３  スロット
１３１  螺合孔
１４  バンプ
２  ロック部材
３  スライダー
３１  通過孔
【図１】
0003232867.tif 000003
【図２】
0003232867.tif 000004
【図３】
0003232867.tif 000005
【図４】
0003232867.tif 000006
【図５】
0003232867.tif 000007
【図６】
0003232867.tif 000008
【手続補正書】
【提出日】令和3年5月7日(2021.5.7)
【手続補正１】
【補正対象書類名】実用新案登録請求の範囲
【補正対象項目名】全文
【補正方法】変更
【補正の内容】
【実用新案登録請求の範囲】
【請求項１】
主にマウンテンバイクシューズの底面に装設しているサイクリングシューズアダプターであって、前記アダプターは係合部及び変換部を備え、前記係合部は前記変換部の一側に凸設していると共に前記変換部と一体成形するように設け、且つ前記マウンテンバイクシューズの靴底に装設し、
前記変換部の他側にはスロットを凹設し、且つ前記スロットの底部には少なくとも２つの螺合孔を穿設し、前記少なくとも２つの螺合孔は前記係合部を貫通し、前記少なくとも２つの螺合孔に貫入していると共に前記マウンテンバイクシューズにロックしている少なくとも２つのロック部材をさらに設け、
前記変換部は前記係合部を凸設している一側の反対側にペダルロック部材を装設していることを特徴とするサイクリングシューズアダプター。
【請求項２】
前記変換部は前記ペダルロック部材と組み合わせる円弧面、及び前記係合部を設けている底面をさらに備え、前記円弧面には前記ペダルロック部材の複数の螺合部材と接合している少なくとも３つの位置決め穴を設けていることを特徴とする請求項１に記載のサイクリングシューズアダプター。
【請求項３】
前記底面には複数の浅い溝をさらに凹設し、各浅い溝の間には強化リブを形成し、前記係合部の周囲は補強リングリブが包囲し、前記補強リングリブは各強化リブに連結していることを特徴とする請求項２に記載のサイクリングシューズアダプター。
【請求項４】
前記係合部の端面には複数のバンプをさらに凸設し、各バンプは前記マウンテンバイクシューズの靴底との摩擦抵抗力を発生させることを特徴とする請求項１に記載のサイクリングシューズアダプター。
【請求項５】
前記スロット内にはスライダーをさらに設置し、前記スライダーには前記少なくとも２つの螺合孔に対応している複数の通過孔を設け、前記少なくとも２つのロック部材は各通過孔及び各螺合孔を貫通した後に前記マウンテンバイクシューズの靴底にロックし、且つ各ロック部材は一端が前記スライダー及び各螺合孔を貫通した後、各ロック部材の他端が前記スロットの外に突出しないことを特徴とする請求項１に記載のサイクリングシューズアダプター。